(57)【要約】 【課題】      ロール状に巻かれたペーパーを引出し、切断して使用する際、ロールペーパーの端部は、保持器の蓋の裏に隠れていたり、ロールペーパーに密着して絡まっていることが多く、掴み難い。また、ペーパーを引き切る際、切り刃が動き切り難く、切り口が乱れると言う課題。【解決手段】    本発明は、ペーパーを手指で押付け、そのまま、擦って引き出すための擦り板と、擦り板の下部に設けたカッターと、ペーパーを擦り板に添うように展開させる案内手段とを備えたロールペーパー引出し切断装置を解決手段とする。  使用の際、ペーパーを擦り板に手指で押付け、そのまま擦り下ろすと、ペーパー端が擦り板の端の切り刃よりはみ出すので、そのはみ出したペーパー端を手指で掴み、必要な長さを引出した後、引く方向を変えると容易に切断することができる。【選択図】    図１
2012061225.tif 000002
【特許請求の範囲】
【請求項１】
ロールペーパーを引出し可能に支持する保持手段と、
内面側に手指が入るための空間が確保できるように設けられ、下端部にカッターを設けた擦り板と、
上記保持手段から引出されたペーパーを、上記擦り板の内面に沿うようにガイドする案内手段と、
を備えたことを特徴とするロールペーパー引出し切断装置。
【請求項２】
前記保持手段は、上部が開口した容器よりなり、
前記擦り板を、上記容器の前部に配設したことを特徴とする
請求項１のロールペーパー引出し切断装置。
【請求項３】
前記保持手段は、下部に開口部を有するとともに、
上記開口部を開閉可能にする底蓋を備えた容器であって、
前記擦り板が上記容器の前面部を構成するとともに、
上記底蓋の前端部に案内手段を配設したことを特徴とする
請求項１のロールペーパー引出し切断装置。
【請求項４】
前記保持手段は、上下が開口した筒状体であって、上記筒状体の内部にロールペーパーを支持する軸を備え、
前記擦り板が、上記筒状体の前部を構成したことを特徴とする
請求項１のロールペーパー引出し切断装置。
【請求項５】
内面側に手指を入るための空間を確保できるように設けられ、下端部にカッターを設けた擦り板と、
ロールペーパーの端部を上記擦り板の内面に沿うようにガイドする案内手段と
を備えたことを特徴とするロールペーパー引出し切断装置。
【請求項６】
前記擦り板が、上下に開口した筒状体の前部を構成し、
前記案内手段が、上記筒状体に設けたローラユニットであることを特徴とする請求項５のロールペーパー引出し切断装置。
【発明の詳細な説明】
【技術分野】
【０００１】
本発明は、トイレットペーパー、キッチンペーパー等のロールペーパーの引出しおよび切断に係わる装置に関する。
【背景技術】
【０００２】
従来、ロールペーパーの保持器は、ロールペーパーの中心部の孔を利用し、軸を用いて水平に支持している。また、ロールペーパーが自然に回転すること等を防ぐ為に、一端を蝶番状に軸支持した蓋をロールペーパー上部に載せ、その自重で自然には回転しないように摩擦を与えているものが一般的である。蓋の自重だけではなく、軽いばねで押圧しているものもある。
また、切断手段として、蓋の自由端(先端)に鈍なカッターがあるものもある。
【０００３】
ペーパーを使用する際には、ロールペーパーの端部を掴み、引き出し、切断することが必要である。しかし、ロールペーパーの端部は、蓋の内部（背部）に隠れていたり、ロールペーパー外周に密着していることが多く、他方の手で蓋を持ち上げたり、ロールペーパーを空転させてロールペーパーの端部を探り、掴むことが必要であった。
【０００４】
ロールペーパーの端部を掴んだ後、必要な長さを引出し、切断して使用に供するが、切断しようとしてペーパーを引っ張ると蓋が自重やばねに抗して持ち上がり、ペーパーの切断が困難であり、必要以上に繰り出すことが多い。このため、切断においては、蓋が持ち上がらないように、またはロールペーパーが回らないように他方の手で補助（固定）しながら、ペーパーを引き切る必要があった。
なお、カッターは危険であるとの考えから、切り口の美観、切り易さに拘らない場合は、カッターが無いことも多々ある。
【０００５】
つまり、ロールペーパー端部を片手で掴み引出すこと、必要な長さに切断することに不便があり、特に身体が不自由な場合には困難を伴っていた。
【０００６】
従来から、これらの不具合に対処する発明や考案の出願が見られる。これらの発明には、ペーパーの把持、引出しに関するもの(例えば、特開２００７−１０５３２７)か、切断方法に関するもの(例えば、特開２００１−３７６７３)かのどちらかに主眼があるものが多い。また、把持、引出しと切断の両者に対する考案(登録実用新案広報３０５８８９８)もあるが、構造が複雑、使用前のロールペーパーの補給セットが煩雑、紙の引出し抵抗が大きくスムースな引出しが困難、ペーパー端が板の上面に露出しているためずれ易いし、埃を受け易い等や、カッターが前面上部に露出しており危険な感じを与えることが危惧される。
【先行技術文献】
【特許文献】
【０００７】
【特許文献１】特開２００７−１０５３２７
【特許文献２】特開２００１−３７６７３
【特許文献３】登録実用新案広報３０５８８９８
【発明の概要】
【発明が解決しようとする課題】
【０００８】
本発明は、片手であっても、ロールペーパーの端部を掴み、引出し、切断することを安全、衛生的に、容易に行うことができる構造簡単、安価な装置であって、ロールペーパーの補給セットが簡便な装置を提供することを課題としている。
【課題を解決するための手段】
【０００９】
本発明の請求項１の発明では、ロールペーパーを引出し可能に支持する保持手段と、ロールペーパーからのペーパーを指で押付け、擦(こす)って、ペーパーを引出すための擦り板を、前記保持手段の前面に設け、擦り板の内面をペーパーが沿うようにガイドする案内手段と、切断手段として擦り板の下部にカッターを備え、擦り板の背部には指が入る空間を確保している。
【００１０】
本発明の請求項５の発明では、上下が開口した筒状体の前面の板を、下部にカッターを設けた前記擦り板で構成し、擦り板の内面にペーパーが沿うようにガイドする案内手段を前記筒状体に備えている。
【発明の効果】
【００１１】
擦り板の背面(内面)にガイドされたペーパーを、擦り板に押し付けて滑らせ、擦り板より露出させ、そのペーパー端部を掴み引き出し、引き切るという簡単で安価な機構であり、片手のみで容易に使用することができる。また、当人の使用に供するペーパー以外には、直接触れること無く使用できるので、不特定多数の人が利用することを想定しても衛生的である。また、従来は、ペーパーの切断面が凸凹に乱れて、見苦しいとの懸念もあったが、本装置では綺麗に切断できる上、殆どの切断部は擦り板の背面に隠れており美観を損なうことが少ない。更に、ロールペーパーの補給セット、交換を簡単に行うことができる。
【図面の簡単な説明】
【００１２】
【図１】第１実施例の側断面図
【図２】第１実施例の正面図（一部断面図、図１の矢視A−A）
【図３】第１実施例のロールペーパー補給セットの説明図
【図４】(a) カッター（鋸歯形）の矢視正面拡大図(図4(b)の矢視A−A)       (b) カッター（鋸歯形）の側断面拡大図
【図５】ペーパー擦り出しの説明断面図
【図６】(a) ペーパー引出しの説明断面図       (b) ペーパー切断の説明断面図
【図７】第２実施例のロールペーパー補給セット断面図
【図８】第２実施例の留めピンの設定図(図9(b)の断面Ａ−Ａ)
【図９】(a) 第２実施例の正面図(一部断面)       (b) 第２実施例の側断面図
【図１０】第３実施例の斜視図
【図１１】第３実施例の側断面図
【図１２】(a) 第３実施例のロールペーパー支持軸案内溝        (b) ロールペーパー支持軸案内溝の断面図
【図１３】第４実施例の側断面図
【図１４】第４実施例の正面図(図13の矢視Ａ−Ａ、一部断面図)
【図１５】(a) 双ローラユニットの平面図        (b) 双ローラユニットの側断面図(図15の断面Ａ−Ａ)
【図１６】(a) 双ローラユニットのペーパー補給セット説明正面図(開始)        (b) 双ローラユニットのペーパー補給セット説明側断面図(開始)        (c) 双ローラユニットのペーパー補給セット説明側断面図(途中)        (d) 双ローラユニットのペーパー補給セット説明側断面図(完了)
【図１７】(a) 第５実施例の正面図(一部断面)        (b) 第５実施例の側面図
【図１８】単ローラユニットの斜視図
【図１９】(a) 単ローラユニットのペーパー補給セット説明側断面図(開始)        (b) 単ローラユニットの留めピン設定図(図19(c)の断面Ａ−Ａ)        (c) 単ローラユニットの使用状態側断面図
【図２０】(a) 擦り板背面の摩擦低減方法(溝)の斜視図        (b) 擦り板背面の摩擦低減方法(ローラ)の斜視図
【発明を実施するための形態】
【００１３】
第1実施例について、図1から図6を用いて説明する。
図1および図2において、1は保持器であり、概ね直方体形状をした箱形容器で、ロールペーパー14を支持している。保持器1は前面板2、斜板3、底板4、後面板5および右側面板6、左側面板7で構成され、上方が矩形状に開口している。この開口部を塞ぐための蓋8が設けられており、左右側面板6、7に支持された蓋軸9によって開閉可能に取り付けられている。この蓋8は、ロールペーパー14の補給時に開ける必要があるが、在来のロールペーパー保持器の蓋ように、ロールペーパー14を押圧する必要はなく、上に花瓶などを載せて飾ることも可能である。なお、8aは半開き状態の蓋8を示している。
【００１４】
保持器1の前面の、やや下方位置に、ペーパーを押し当て擦(こす)り、引出すための擦り板10が、左右の側面板6、7に取り付けられている。擦り板10の下端部には、カッター11が取り付けられている。また、前面板2の上部位置付近に、左右の側面板6、7で支持されたローラ軸12によって、案内手段としての案内ローラ13が回転自在に支持されている。
案内ローラ13に代えて回転できない案内棒であっても良い。
【００１５】
図1、図2はロールペーパー14が収納された、通常の使用状態を示している。ロールペーパー14から引出されたペーパー15は案内ローラ13にガイドされて、前面板2の前面から擦り板10の背面10aへと導かれ、その端部15aは擦り板10の下端部に位置する。
【００１６】
前面板2と斜板3との境界部付近と、擦り板10との間に、隙間16を、擦り板10の背面10aと斜板3との間には、指を挿入するための空間17を確保している。
【００１７】
図3はロールペーパーを補給セットする様子を示している。蓋8を開けてロールペーパー14を矢印18の方向に投入し、ペーパー端部15aを隙間16に挿入して空間17へ通してから、引き下げて蓋8を閉じる。この状態が図1に示したものである。図3では、ロールペーパー14を２個描いているが、補給前後の様子を説明するために示したものである。
なお、ペーパー端部15aを隙間16から空間17へと挿入する際、はがきのような、厚めの紙片等を援用するとよい。
【００１８】
図4(b)はカッターの取付け状態を示している。カッター11の刃先は、安全のためと切り易さを考慮して、擦り板10の背面10aの延長面より距離dだけ後退させ、また適当な角度θだけ、背面10a側に傾けている。
ここでは、カッター11の形状として鋸歯状のものを示しているが、他のものでも良い。
【００１９】
図5と図6は使用方法の説明図である。
図5に示すように、指19を空間17に挿入し、擦り板10の背面10aに位置するペーパー15を背面10aに押付けたまま矢印20の方向へ引き下げて、ペーパー端部15aを擦り板10より繰り出させる。次に、図6(a)の様に、繰り出したペーパー端部15aを指19で掴み、矢印21の方向へ必要とする長さだけ引出す。その後、図6(b)の様に、引く方向を矢印22のように前方寄りにすると、ペーパー15がカッター11に当接し、カッター11がペーパー15の滑りを止める役割をも担い、容易に引き切ることができる。
【００２０】
上述のように、簡単な装置で、ペーパー15の引出し、切断の一連の動作を片方の指19のみで、容易に行うことができる。また、ロールペーパー14の補給セットも簡単である。
【００２１】
第２実施例について図7、図8、図9を用いて説明する。
図7に示すように、ロールペーパー44の保持手段としての保持器31は概ね直方体形状の容器であるが、下方が開口している。前面は下部にカッター33を取り付けた擦り板32で構成し、上面板34、後面板35、右側面板36、左側面板37とで容器状に構成されている。
【００２２】
下方の開口部には、図9(b)に示す空間48を確保するために受け皿状にした底蓋38が底蓋軸39によって、開閉可能に軸支持され、底蓋軸39は左右側面板36、37に支持されている。底蓋38について、図7は開いた状態、図9は閉じた状態を示している。
底蓋38の前方（底蓋軸39の反対側）には案内手段としての案内ローラ40がローラ軸41で、回転可能に支持されている。ローラ軸41は底蓋に支持されている。
【００２３】
ロールペーパー44の補給セットの方法を説明する。
図7のように底蓋38を開けておき、必要な長さのペーパー45を引出したロールペーパー44を、矢印50の方向に挿入し、その後、底蓋38を閉じると、図9の状態になる。
図9の状態になると、右側面板36の貫通孔42と底蓋38の側板38aにある孔43を一致させ、図8のように、留めピン47を貫通させて、図9の状態に係留する。これは、右側面板についての説明であるが、左側面板に関しての同様な係留でも良く、左右の両側面板に関係した係留でも良い。また、底蓋38の係留方法は留めピン47に依るのではなく、他の方法でもよい。
図9は通常の使用状態を示している。
【００２４】
使用方法について説明する。図9(b)において、空間48に指を挿しいれ、ペーパー45を擦り板32の背面49に押付けたまま引下げた後に、ペーパー端部46を掴み必要な長さを引き出してから、引く方向を変えてペーパー45をカッター33に当接させて、そのまま引き切る。
【００２５】
第３実施例について図10、図11および図12を用いて説明する。
ロールペーパー65の保持器60は、上下が矩形に開口した筒状体である。前面板は擦り板61で構成し、その下部にはカッター68が取り付けられている。擦り板61、右側面板62、左側面板63、後面板64とで筒状体を構成している。ロールペーパー65は、その中心部の孔66をペーパー軸67で支持し、ペーパー軸67は、左右の側面板62、63の内面に設けられた溝74、75に案内され、溝74、75の下部で受け止め支えられている。左側面板63の溝75はかくれ線で示している。
【００２６】
擦り板61の内側の上部位近くに、案内ローラ69が、左右の側面板62、63で支持されたローラ軸70によって回転可能に支持されている。案内ローラ69に代えて、回転できない案内棒であっても良い。
【００２７】
ロールペーパー65を補給セットする際、ロールペーパー65をペーパー軸67で支持し、ペーパー軸67を溝74、75に挿入後、ペーパー71を引出し、ペーパー端部72を、案内ローラ69と擦り板61との隙間73に通して下方へ引下げる。
【００２８】
使用方法を説明する。擦り板61の背面に沿っているペーパー71を指で擦り板61の背面に押付け、そのまま擦り下ろしてペーパー端部72を擦り板61より繰り出させ、ペーパー端部72を掴み必要長さを引出す。その後、引き方向を変えてペーパー71をカッター68に当接させて引き切り使用する。
【００２９】
第４実施例について、図13、図14、図15および図16を用いて説明する。
この実施例は既設のロールペーパー保持器に、引出し切断装置を付加して、ロールペーパー端部の切断を容易にしたロールペーパー引出し切断装置を構成した例である。
図13において、80は在来のロールペーパー保持器である。この実施例では、ロールペーパーから引出されたペーパー81に対する、引出し切断装置を構成している。
【００３０】
図13に示すように、引出し切断装置の筐体82は、上下に矩形の開口部がある筒状体で、前面板としての擦り板83、右側面板84、左側面板85、後面板86とで構成されている。擦り板83の下部には、カッター87が取り付けられている。83aは擦り板83の背面である。
筐体82には図13に示す、案内手段である、双ローラユニット90が、左右の側面板84、85に回転可能に支持されている。97、98は円形ハンドル、99、100は位置決め機構であり、それぞれ図15および図16を用いて詳述する。
【００３１】
図15に示す双ローラユニット90は、２本のローラ91、92が１組のローラ支持板93、94に軸支持された構造になっており、ローラ91、92は回転可能な構造になっている。ローラ支持板93、94の外面中央には回転軸95、96があり、この回転軸95、96は左右側面板84、85の中央上部の位置に回転可能に支持されている。回転軸95、96は、左右側面板84、85より外側へ突出ており、突出たところに円形ハンドル97、98が取付けられ、固定されている。従って、円形ハンドル97、98を回して、双ローラユニット90を回転させることができる。
【００３２】
２本のローラ91、92が擦り板83に対して、図16(b)、(d)に示すように、垂直に並ぶ状態を保つよう、位置決め機構(デテント)99、100が設けられている。
ここでの位置決め機構99、100は、円形ハンドル97、98の外周に設けた凹み101、102(図15(b))に、小円板103、104を板ばね105、106で押し当てて位置決めをする機構である。板ばね105、106の他方の端は左右の側面板93、94に固定金具107、108で固定されている。位置決め機構99、100は左右のどちらか片方でも良く、また他の位置決め手段を採用することもできる。
【００３３】
ペーパー81を補給セットする方法を、図16を用いて説明する。図16(b)のように、双ローラユニット90の２本のローラ91、92が擦り板83に対して垂直に並ぶ位置において、２本のローラ91、92の間に、必要な長さのペーパー81を挿入する。次に、位置決め機構に抗して、円形ハンドル97、98を回し、双ローラユニット90を図16(c)の矢印110の方向に回して、図16(d)の状態にすると、双ローラユニット90は位置決め機構99、100により、再びその位置に位置決めされる。これが、図13、図14、図16(d)に示した状態である。図16(d)において、ペーパー81は、ローラ92からローラ91へと「たすき掛け」の状態で擦り板83の背面83aへとガイドされている。
【００３４】
使用方法を説明する。図13において、擦り板83の背面83aに沿っているペーパー81を指で擦り板83の背面83aに押付け、そのまま擦り下ろしてペーパー端部を擦り板83より繰り出させ、ペーパー端部を掴み必要長さを引出す。その後、引き方向を変えてペーパー81をカッター87に当接させて引き切り使用する。
【００３５】
第５実施例について図17、図18、図19を用いて説明する。
図17において、120は在来のロールペーパー保持器である。この実施例では、ペーパー121に対する引出し切断装置122を構成している。
引出し切断装置122の筐体は、上下に矩形の開口部がある筒状体で、前面は擦り板123で構成し、右側面板124、左側面板125、後面板126とで筒状体に構成している。擦り板123の下部には、カッター127が取り付けられている。
【００３６】
筐体122の内部には、図18に示す案内手段である単ローラユニット128が左右の側面板124、125に回転可能に支持されている。
【００３７】
図18について、単ローラユニット128は、ローラ129をローラ軸130で支持し、ローラ軸130は２枚の腕板131、132に固定されている。腕板131、132の他端には腕軸133、134が固定されており、腕軸133、134は左右の側面板124、125に回動可能に支持されている。この腕軸133、134には左右の側面板124、125の外側で、ハンドル板135、136が固定されている。ハンドル板135、136には留めピン137、138を挿入する穴があいている。(図19(b)参照)
【００３８】
図19を用いて、ペーパー121を補給セットする方法を説明する。
図19(a)のように、ハンドル135、136を回してローラ129が腕軸133、134のほぼ下方になるようにすると、擦り板123とローラ129との間隔が広くなる。その間に、必要な長さのペーパー121を挿入する。その後、ハンドル135、136を矢印140の方向に回し、ローラ129が擦り板123の背面123aに近接し、図19(c)に示す位置になるようにする。その位置を保つように、ピン137、138で周り止めを施す。(図19(b)参照)
ローラ129はペーパー121を擦り板123の背面123aに沿うようにガイドする。擦り板123の下部には、切断手段としてのカッター127が取付けられている。
【００３９】
次に、使用方法を説明する。擦り板123の背面123aに沿っているペーパー121を指で擦り板123の背面123aに押付け、そのまま擦り下ろしてペーパー端部を擦り板123より繰り出させ、ペーパー端部を掴み必要長さを引出す。その後、引き方向を変えてペーパー121をカッター127に当接させて引き切り使用する。
【００４０】
図20は擦り板の背面の摩擦力を低減させる方法の例を示すものである。
本発明は、擦り板150、155の背面に沿うようにガイドされたペーパーを、指で擦り板150、155に押し当てて滑らせ、引出す方法を採っており、擦り板150、155の背面とペーパーとの摩擦力は、小さいことが必要である。
摩擦係数の小さな材質の採用、摩擦係数の小さなシート等を貼付するなど以外の構造的な摩擦低減方法として提示している。
【００４１】
図20(a)では、擦り板150の背面に、多数の溝151を設けて摩擦力を減少させることを示している。図20(a)での溝の方向は、擦り方向152の方向であるが、矢印152と角度をなす方向、極端には90度の角度をなしていても良い。
図20(b)では、擦り板155の背面に、小さな回転ローラ156を近接して多数並べ、擦り方向157の摩擦力を減少させる。回転ローラ156は大きいものを１個または数個配列しても良い。
【符号の説明】
【００４２】
1             保持器
10            擦り板
11            カッター
13            案内ローラ
14            ロールペーパー
15            ペーパー
17            空間
31            保持器
32            擦り板
33            カッター
38            底蓋
40            案内ローラ
44            ロールペーパー
48            空間
60            保持器
61            擦り板
65            ロールペーパー
68            カッター
69            案内ローラ
82            引出し切断装置
81            ペーパー
83            擦り板
90            双ローラユニット
91、92        ローラ
93            カッター
122           引出し切断装置
123           擦り板
127           カッター
128           単ローラユニット
129           ローラ
【図１】
2012061225.tif 000003
【図２】
2012061225.tif 000004
【図３】
2012061225.tif 000005
【図４】
2012061225.tif 000006
【図５】
2012061225.tif 000007
【図６】
2012061225.tif 000008
【図７】
2012061225.tif 000009
【図８】
2012061225.tif 000010
【図９】
2012061225.tif 000011
【図１０】
2012061225.tif 000012
【図１１】
2012061225.tif 000013
【図１２】
2012061225.tif 000014
【図１３】
2012061225.tif 000015
【図１４】
2012061225.tif 000016
【図１５】
2012061225.tif 000017
【図１６】
2012061225.tif 000018
【図１７】
2012061225.tif 000019
【図１８】
2012061225.tif 000020
【図１９】
2012061225.tif 000021
【図２０】
2012061225.tif 000022
【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
ロールペーパーを引出し可能に支持する保持手段と、
内面側に手指が入るための空間が確保できるように設けられ、上記空間内のロールペーパーの端部を手指で押し付けながら下方に引き出すための擦り板と、
上記擦り板の下端部に設けられた切断手段と、
上記保持手段から引出されたペーパーを、上記擦り板の内面に沿い、円滑に引出すことが可能なようにガイドする案内手段と、
を備えたことを特徴とするロールペーパー引出し切断装置。
【請求項２】
前記保持手段は、上部が開口した容器よりなり、
前記擦り板を、上記容器の前面部に配設したことを特徴とする
請求項１のロールペーパー引出し切断装置。
【請求項３】
前記保持手段は、下部に開口部を有するとともに、
上記開口部を開閉可能にする底蓋を備えた容器であって、
前記擦り板が上記容器の前面部を構成し、
上記底蓋の前端部に前記案内手段を配設したことを特徴とする
請求項１のロールペーパー引出し切断装置。
【請求項４】
前記保持手段は、上下が開口した筒状体であって、上記筒状体の内部にロールペーパーを軸支持する手段を備え、
前記擦り板が、上記筒状体の前面部を構成したことを特徴とする
請求項１のロールペーパー引出し切断装置。
【請求項５】
内面側に手指を入るための空間を確保できるように設けられ、上記空間内のペーパーの端部を手指で押し付けながら下方に引き出すための擦り板と、
上記擦り板の下端部に設けた切断手段と、
ペーパーを上記擦り板の内面に沿い、円滑に引出すことが可能なようにガイドする案内手段と、
を備えたことを特徴とするロールペーパー引出し切断装置。
【請求項６】
前記擦り板が、上下に開口した筒状体の前部を構成し、
前記案内手段が、上記筒状体に設けたローラユニットであることを特徴とする請求項５のロールペーパー引出し切断装置。
【手続補正２】
【補正対象書類名】明細書
【補正対象項目名】０００９
【補正方法】変更
【補正の内容】
【０００９】
本発明の請求項１の発明では、ロールペーパーを円滑に引出し可能に支持する保持手段と、
内面側に手指が入るための空間が確保できるように設けた板であって、上記の保持手段からのペーパーを指で押付け、擦（こす）って、ペーパーを引出すための擦り板と、擦り板の内面にペーパーが沿い、ペーパーを滑らかに引出し可能なようにガイドする案内手段と、上記の擦り板の下端に備えた切断手段とからなる。
請求項２、請求項３、請求項４における、上記の擦り板は上記保持手段の前部に構成されている。
【手続補正３】
【補正対象書類名】明細書
【補正対象項目名】００１０
【補正方法】変更
【補正の内容】
【００１０】
本発明の請求項５の発明では、上下が矩形に開口した筒状体の前面の板を、下部にカッターを設けた前記擦り板で構成し、擦り板の内面にペーパーが沿うようにガイドする前期案内手段を備えている。
擦り板の背面とペーパーとの摩擦は小さいことが望ましい。
【手続補正書】
【提出日】平成23年3月15日(2011.3.15)
【手続補正１】
【補正対象書類名】特許請求の範囲
【補正対象項目名】全文
【補正方法】変更
【補正の内容】
【特許請求の範囲】
【請求項１】
ロールペーパーを引出し可能に支持する保持手段と、
上記保持手段と一体に固定され、内面側に手指が入るための空間が確保できるように設けられ、上記空間内のロールペーパーの端部を手指で押し付けながら下方に引き出すための擦り板と、
上記擦り板の下端部に設けられた切断手段と、
上記保持手段から引出されたペーパーを、上記擦り板の内面に沿い、円滑に引出すことが可能なようにガイドする案内手段と、
を備えたことを特徴とするロールペーパー引出し切断装置。
【請求項２】
前記保持手段は、上部が開口した容器よりなり、
前記擦り板を、上記容器の前面部に配設したことを特徴とする
請求項１のロールペーパー引出し切断装置。
【請求項３】
前記保持手段は、下部に開口部を有するとともに、
上記開口部を開閉可能にする底蓋を備えた容器であって、
前記擦り板が上記容器の前面部を構成し、
上記底蓋の前端部に前記案内手段を配設したことを特徴とする
請求項１のロールペーパー引出し切断装置。
【請求項４】
前記保持手段は、上下が開口した筒状体であって、上記筒状体の内部にロールペーパーを軸支持する手段を備え、
前記擦り板が、上記筒状体の前面部を構成したことを特徴とする
請求項１のロールペーパー引出し切断装置。
【請求項５】
ロールペーパーを引出し可能に支持する保持手段と別体として設けられるロールペーパー引出し切断手段において、内面側に手指を入るための空間を確保できるように設けられ、上記空間内のペーパーの端部を手指で押し付けながら下方に引き出すための擦り板と、
上記擦り板の下端部に設けた切断手段と、
ペーパーを上記擦り板の内面に沿い、円滑に引出すことが可能なようにガイドする案内手段と、
を備えたことを特徴とするロールペーパー引出し切断装置。
【請求項６】
前記擦り板が、上下に開口した筒状体の前部を構成し、
前記案内手段が、上記筒状体に設けたローラユニットであることを特徴とする
請求項５のロールペーパー引出し切断装置。
【手続補正２】
【補正対象書類名】明細書
【補正対象項目名】０００９
【補正方法】変更
【補正の内容】
【０００９】
本発明の請求項１の発明は、ロールペーパーを円滑に引出し可能に支持する保持手段と、
前記保持手段と一体となるように固定されており、内面側に手指が入るための空間が確保できるように設けた板であって、上記の保持手段からのペーパーを指で押付け、擦(こす)って、ペーパーを引出すための擦り板と、
擦り板の内面にペーパーが沿い、ペーパーを滑らかに引出し可能なようにガイドする案内手段と、
上記擦り板の下端に備えたえた切断手段とからなる。
請求項２、請求項３、請求項４における上記擦り板は上記保持手段の前部に構成されている。
【手続補正３】
【補正対象書類名】明細書
【補正対象項目名】００１０
【補正方法】変更
【補正の内容】
【００１０】
本発明の請求項５、請求項６の発明は、ロールペーパーを引出し可能に支持する保持手段と別体として設けられるロールペーパー引出し切断手段において、下部に切断手段を設けた前記擦り板と、上記擦り板の内面にペーパーが沿うようにガイドする前記案内手段を備えている。請求項６の発明での上記擦り板は、上下が開口した筒状体の前面板を構成している。
擦り板の背面とペーパーとの摩擦は小さいことが望ましい。
【手続補正書】
【提出日】平成23年7月14日(2011.7.14)
【手続補正１】
【補正対象書類名】特許請求の範囲
【補正対象項目名】全文
【補正方法】変更
【補正の内容】
【特許請求の範囲】
【請求項１】
ロールペーパーを引出し可能に支持する保持手段を備え、
上記保持手段を構成する左右側面板に取り付けられ、内面側に手指が入るための空間が確保できるように設けられ、摩擦力の小さい内面側の表面を持ち、上記空間内のロールペーパーの端部を手指で押し付け擦りながら下方に引き出すための擦り板と、
上記擦り板の下端部に設けられた鋸歯状の切断手段と、
上記保持手段から引出されたペーパーを、上記擦り板の内面に沿い、円滑に引出すことが可能なようにガイドする案内手段を備え、前記案内手段はロールペーパーの引出しに対する抵抗を少なくしたものであることを特徴とするロールペーパー引出し切断装置。
【請求項２】
前面板、斜板、底板、後面板および左右側面板で構成され、上部が開口した容器状の保持手段を備え、
前記擦り板が、上記保持手段の前面部に配設されたことを特徴とする
請求項１のロールペーパー引出し切断装置。
【請求項３】
下部に開口部を有し、該開口部を開閉可能にする底蓋を設けた保持手段を備え、
前記擦り板が上記保持手段の前面部を構成し、
上記底蓋の擦り板側の端部に前記案内手段を配設したことを特徴とする
請求項１のロールペーパー引出し切断装置。
【請求項４】
上下が開口した筒状体であって、上記筒状体の内部にロールペーパーを支持する軸が上記筒状体を構成する左右側面板に取り付けられた保持手段を備え、
上記保持手段の前面板が、上記左右側面板に取付けられた前記擦り板であることを特徴とする請求項１のロールペーパー引出し切断装置。
【請求項５】
ロールペーパーを引出し可能に支持する保持手段とは直接的連接部を持たない別体として設けられ、
上下が開口した筒状体であって、
上記筒状体の前面は、摩擦力の小さい内面側の表面を持ち、内面側に手指が入るための空間が確保できるように設けられ、上記空間内に引きこまれたペーパーの端部を手指で押し付け擦りながら下方に引き出すことが可能なように設けられた擦り板と、
上記擦り板の下端部に設けられた鋸歯状の切断手段と、
上記筒状体に引き込まれたペーパーを、上記擦り板の内面に沿い、円滑に引出すことが可能なようにガイドする案内手段を備え、
上記案内手段はロールペーパーの引出しに対する抵抗を少なくしたものであることを特徴とするロールペーパー引出し切断装置。
【請求項６】
前記案内手段が、上記筒状体に設けられたローラユニットであることを特徴とする、
請求項５のロールペーパー引出し切断装置。
【手続補正２】
【補正対象書類名】明細書
【補正対象項目名】０００９
【補正方法】変更
【補正の内容】
【０００９】
請求項１から４の発明は、ロールペーパーを円滑に引出し可能に支持する保持手段を備え、前記保持手段の前面に設け、左右の側面板に取付られており、内面側に手指が入るための空間が確保できるように設けられ、上記の保持手段からのペーパーの端部を指で押付けながら、擦(こす)って、ペーパーを引出すための擦り板と、
擦り板の内面（背面）にペーパーが沿い、ペーパーを滑らかに引出し可能にガイドし、ロールペーパーの引出しに対する抵抗を少なくしたことを特徴とする案内手段と、
上記擦り板の下端に備えた鋸歯状の切断手段とからなる
ロールペーパー引出し切断装置。
擦り板の背面（ペーパーを押し付けて擦り引き出す面）は、摩擦係数の低い材料で構成する、またはその材料のシートなどを貼付する、小さなローラを多数配列する、擦り方向に多数の溝を設けるなどの摩擦力を低減する手段を設けている。
請求項２の発明における保持手段は、手指が入る空間の確保などのため、前面板、斜板、底板、後面板および左側面板、右側面板で構成され、上部が開口した容器状であり、上記擦り板は左側面板、右側面板に取り付られ、前面板とは別の板であるように構成してる。
請求項３の発明は、請求項２の発明における保持手段の斜板と底板を取除き、その機能を担う底蓋を設け、上記底蓋の後端部を回転可能に左右側面板で軸支持し、上記底蓋の前端部に前記案内手段を設けている。請求項２の発明における保持手段の前面板に替えて、前記擦り板が左右側面板に取り付けられている。
請求項４の発明は、請求項２における前面板、斜板、底板を取除いた構成で、ロールペーパーを左右側面板で軸支持することで、前記空間を確保する。前面板に替えて、前記擦り板を左右側面板に取り付けている。
【手続補正３】
【補正対象書類名】明細書
【補正対象項目名】００１０
【補正方法】変更
【補正の内容】
【００１０】
本発明の請求項５、６の発明は、ロールペーパーを引出し可能に支持する保持手段との直接的な連接部がなく、別体として設けられた筒状体であって、
上記筒状体は、その前面が下部に鋸歯状の切断手段を配設した前記擦り板と、左右側面板とで構成され、前記擦り板は左右側面板に取り付けられており、
上記筒状体の内部には、上記擦り板の内面にペーパーが沿うようにガイドし、ペーパーの引出し抵抗が少ないことを特徴しする前記案内手段を備えている。
前記擦り板の背面（ペーパーを押し付けて擦り引き出す面）は、摩擦係数の少ない材料で構成するか、またはその材料のシートを貼付する、小さなローラを多数配列する、擦り方向に多数の溝を設けるなどの摩擦力を低減する手段を設けていることを特徴とする
ロールペーパー引出し切断装置。
請求項６の発明は、上記筒状体の内部に前記案内手段であるローラユニットを設けたことを特徴とする請求項５のロールペーパー引出し切断装置。
【手続補正書】
【提出日】平成23年11月22日(2011.11.22)
【手続補正１】
【補正対象書類名】特許請求の範囲
【補正対象項目名】全文
【補正方法】変更
【補正の内容】
【特許請求の範囲】
【請求項１】
ロールペーパーを引出し可能に支持する保持手段を備え、
上記保持手段を構成する左右側面板の前部に配設、固定され、
内面側に手指が入るための空間が確保できるように設けられ、
上記空間内に引き込まれたペーパーを手指で内面に押圧し、擦動による上記ペーパーの引出しが、他の補助手段を用いず、ペーパーと手指間の摩擦力のみで可能となる低摩擦の内面を持つ擦り板と、
上記擦り板の下端部に設けられた鋸歯状の切断手段と、
上記保持手段から引出されたペーパーを、上記擦り板の内面に沿い、円滑に引き出すことが可能なようにガイドする案内手段を備え、前記案内手段はペーパーの引出しに対する抵抗を少なくしたものであることを特徴とするロールペーパー引出し切断装置。
【請求項２】
前面板、斜板、底板、後面板および左右側面板などで構成され、上部が開口した容器状の保持手段を備え、
前記擦り板が、上記保持手段の前面部に配設、固定されていることを特徴とする
請求項１のロールペーパー引出し切断装置。
【請求項３】
下部に開口部を有し、該開口部を開閉可能にする底蓋を設けた容器状の保持手段を備え、
前記擦り板が上記保持手段の前部に配設、固定されており、
上記底蓋の擦り板側の端部に前記案内手段を配設したことを特徴とする
請求項１のロールペーパー引出し切断装置。
【請求項４】
上下に開口した筒状の保持手段を備え、
前記擦り板が上記保持手段の前部に配設、固定されており、
ペーパーの円滑な引出しを可能とするロールペーパー支持軸を備え、
上記支持軸は左右側面板に架設されていることを特徴とする
請求項１のロールペーパー引出し切断装置。
【請求項５】
ロールペーパーを引出し可能に支持する保持手段との直接的連接部を持たない別体として設けられた上下が開口した筒状体を備え、
上記筒状体の前部に配設、固定され、
内面側に手指が入るための空間が確保できるように設けられ、
上記空間内に引き込まれたペーパーを手指で内面に押圧し、擦動による上記ペーパーの引出しが、他の補助手段を用いず、ペーパーと手指間の摩擦力のみで可能となる低摩擦の面を持つ擦り板と、
上記擦り板の下端部に設けられた鋸歯状の切断手段と、
上記筒状体に引き込まれたペーパーを、上記擦り板の内面に沿い、円滑に引き出すことが可能なようにガイドする案内手段を備え、上記案内手段はペーパーの引出しに対する抵抗を少なくしたことを特徴とするロールペーパー引出し切断装置。
【請求項６】
前面に前記擦り板を設けた筒状体を備え、案内手段が、上記記筒状体に設けられたローラユニットであることを特徴とする、請求項５のロールペーパー引出し切断装置。
【手続補正２】
【補正対象書類名】明細書
【補正対象項目名】０００９
【補正方法】変更
【補正の内容】
【０００９】
請求項１から４の発明は、ロールペーパーを円滑に引出し可能に支持する保持手段を備えている。
保持手段の前面において、左右の側面板に固定され、内面側に手指が入るための空間が確保できるように設けられた擦り板があり、この擦り板は、上記保持手段からのペーパーを手指で押付けながら、擦(こす)って、ペーパーを引出すためのものである。
即ち、擦り板は、前記空間内に引き込まれたペーパーを、内面に押し付け擦動しても動かないように固定され、押圧擦動する手指以外の補助手段を要することなく、押圧によるペーパーと手指間の摩擦力のみでロールペーパーの引出しを可能とする低摩擦の内面を持っている。
擦り板の内面（背面）側にペーパーが沿い、ペーパーの滑らかな引出しが可能なようにガイドし、ロールペーパーの引出しに対する抵抗を少なくした案内手段と、上記擦り板の下端に備えた鋸歯状の切断手段を備えたロールペーパー引出し切断装置である。
擦り板の背面（ペーパーを押し付けて擦り引き出す面）は、摩擦を低くする事が必要であり、摩擦係数の低い材料の採用、またはその材料のシートなどの貼付、小さなローラを配列、擦り方向に多数の溝を設ける等の摩擦低減策を講じる。
請求項１は、本発明の独立項であり、「擦り板」を中心に据えたロールペーパー引出し切断装置の一つを成している。
請求項２は、請求項１の従属項で、保持手段は前面板、斜板、底板、後面板および左右側面板などで構成され、上部が開口した容器状であり、前面に擦り板を固定している。
請求項３は、請求項１の従属項であり、保持手段は下部に開口部を有する容器状で、その開口部を開閉可能にする底蓋を設けている。前記擦り板が上記保持手段の前面部を構成し、上記底蓋の擦り板側の端部に前記案内手段を配設している。
請求項４は、請求項１の従属項であり、左右側面板に固定された前記擦り板と後面板とで構成された上下が開口した筒状の保持手段を備えている。上記擦り板の内面側には手指が入るための空間が確保され、左右側面板に架設され滑らかなロールペーパーの引き出しを可能とするロールペーパー支持軸を備え、前記案内手断を上記擦り板の内側上方位置に設けている。
【手続補正３】
【補正対象書類名】明細書
【補正対象項目名】００１０
【補正方法】変更
【補正の内容】
【００１０】
本発明の請求項５は、「擦り板」を中心に据えたロールペーパー引出し切断装置の一つを成す独立項であり、ロールペーパーの保持手段は備えていない。
換言すれば、ロールペーパーを支持する保持手段との直接的連接部を持たない別体として設けられ、上下が開口した筒状体を備え、上記筒状体の左右側面板の前部に擦り板が配設、固定されている。擦り板は、請求項１の場合と同様のものである。
即ち、擦り板は、内面側に手指が入るための空間が確保できるように設けられ、
前記空間内に引き込まれたペーパーを押し付け擦動しても動かないように固定され、
押圧擦動する手指以外の補助手段を要することなく、押圧によるペーパーと手指間の摩擦力のみでロールペーパーの引出しを可能とする低摩擦の内面側表面を持つものである。
また、上記擦り板の下端部に設けられた鋸歯状の切断手段と、上記筒状体に引き込まれたペーパーを、上記擦り板の内面に沿い、円滑に引き出すことが可能なようにガイドする案内手段を備えており、上記案内手段はロールペーパーの引出しに対する抵抗を少なくしたものである。
請求項６は、請求項５の従属項であり、ロールペーパーの保持手段ではない筒状体を備えている。前記擦り板は上記筒状体の前部に固定されている。案内手段は上記筒状体内に設けられたローラユニットであることを特徴としている。ローラユニットは筒状体に引き込まれたペーパーを擦り板に近接して沿わせるようガイドする。